(57)【特許請求の範囲】
【請求項１】
画面上の２つ以上のオブジェクトの１回以上のスライドを監視することに基づき携帯端末の前記画面上で複数のパスを取得すること、
前記複数のパスの形状間の類似が類似度閾値より高いとグローバル・スコープにおいて前記複数のパスに一貫性があることを判定することであって、前記類似度閾値は、間違いの可能性を減らすために予め設定される、こと、
前記複数のパスに一貫性があることを前記判定することに応答してユーザ・インタフェースを前記グローバル・スコープに呼び出すこと、
を備える、方法。
【請求項２】
前記複数のパスに一貫性があることを判定することに応答して前記ユーザ・インタフェースを前記グローバル・スコープに前記呼び出すことは、検索インタフェース呼び出し信号を生成することを備える、請求項１に記載の前記方法。
【請求項３】
前記複数のパスに一貫性があることを判定することに応答して前記ユーザ・インタフェースを前記グローバル・スコープに前記呼び出すことは、前記検索インタフェース呼び出し信号により検索インタフェースを表示することを備える、請求項２に記載の前記方法。
【請求項４】
２本以上の指のそれぞれの指は、前記２つ以上のオブジェクトのそれぞれのオブジェクトに対応する、請求項１に記載の前記方法。
【請求項５】
前記複数のパスに一貫性があることを前記判定することは、前記複数のパスの方向に一貫性があることを判定することを備える、請求項１に記載の前記方法。
【請求項６】
前記ユーザ・インタフェースは、検索インタフェースである、請求項１に記載の前記方法。
【請求項７】
１つ以上のプロセッサと、
画面上の２つ以上のオブジェクトの１回以上のスライドを監視することに基づき携帯端末の前記画面上に複数のパスを取得する取得部、
前記複数のパスの形状間の類似が類似度閾値より高いとグローバル・スコープにおいて前記複数のパスに一貫性があることを判定する判定部であって、前記類似度閾値は、間違いの可能性を減らすために予め設定される、判定部、
検索インタフェース呼び出し信号を生成する生成部、及び
前記検索インタフェース呼び出し信号によりユーザ・インタフェースを前記グローバル・スコープに表示する表示部、
を備えるコンピュータ実行可能なコンポーネントをそれらの上に格納しているメモリと、
を備える、デバイス。
【請求項８】
２本以上の指のそれぞれの指は、前記２つ以上のオブジェクトのそれぞれのオブジェクトに対応する、請求項７に記載の前記デバイス。
【請求項９】
前記判定部は、前記複数のパスの方向に一貫性があることを判定する、請求項７に記載の前記デバイス。
【請求項１０】
前記ユーザ・インタフェースは、検索インタフェースである、請求項７に記載の前記デバイス。
【請求項１１】
画面上の２つ以上のオブジェクトの１回以上のスライドを監視することに基づき携帯端末の前記画面上で複数のパスを取得すること、
前記複数のパスの形状間の類似が類似度閾値より高いとグローバル・スコープにおいて前記複数のパスに一貫性があることを判定することであって、前記類似度閾値は、間違いの可能性を減らすために予め設定される、こと、
前記複数のパスに一貫性があることを前記判定することに応答してユーザ・インタフェースを前記グローバル・スコープに呼び出すこと、
を備えるアクションを実行するために１つ以上のプロセッサにより実行可能であるコンピュータ実行可能なコンポーネントをそれらの上に格納している１つ以上のメモリ。
【請求項１２】
２本以上の指のそれぞれの指は、前記２つ以上のオブジェクトのそれぞれのオブジェクトに対応する、請求項１１に記載の前記１つ以上のメモリ。
【請求項１３】
前記複数のパスに一貫性があることを前記判定することは、前記複数のパスの方向に一貫性があることを判定することを備える、請求項１１に記載の前記１つ以上のメモリ。
【請求項１４】
前記ユーザ・インタフェースは、検索インタフェースである、請求項１１の前記１つ以上のメモリ。
【発明の詳細な説明】
【技術分野】
【０００１】
関連出願の相互参照
本出願は、２０１４年９月２５日に出願され、「Ｉｎｆｏｒｍａｔｉｏｎ  Ｓｅａｒｃｈ  Ｍｅｔｈｏｄ，Ｄｅｖｉｃｅ，ａｎｄ  Ｅｌｅｃｔｒｏｎｉｃ  Ａｐｐａｒａｔｕｓ」と題する、その全体を参照により本明細書で援用される、中国特許出願第２０１４１０４９８３９２．９号に外国優先権を主張する。
【０００２】
本開示は、携帯端末の分野に関し、さらに特に、情報検索方法、デバイス及び電子機器に関する。
【背景技術】
【０００３】
科学技術の急速な進歩にともない、携帯電話、タブレット・コンピュータなどのような携帯端末は、人々の日常生活及び仕事で重要で不可欠なツールになっている。電話をかけ、ショート・メッセージ・サービス（ＳＭＳ）を提供する基本機能を提案することに加えて、さらに携帯端末は、たとえば、ナビゲーション・サービス、ショッピング機能など、さまざまなアプリケーション・プログラム（Ａｐｐ）を介してさまざまなサービス機能を提案する。
【０００４】
ユーザができる限り速く彼らが興味のある情報を探し出すことを可能にするために、より多くのＡｐｐは、検索機能で構成され、ユーザは、Ａｐｐを介して情報を検索することができる。従来、一般的な検索方法は、Ａｐｐのインタフェースの上部でページに検索インタフェースを示し、ユーザが検索用の検索インタフェースにキーワードを入力することを可能にすることである。また検索インタフェースは、埋め込まれた検索バー及びフローティング検索バーに分類されることができる、検索バーと言われる。
【０００５】
埋め込まれた検索バーは、ウェブ・ページで固定位置に埋め込まれ、ウェブ・ページを切り換える場合に移動する。埋め込まれた検索バーに関して、その位置が適切に設定されない（たとえば、検索バーをウェブ・ページの上部にのみ示す）場合に、ウェブ・ページ上のランダムな位置でのユーザ・ブラウジング、またはウェブ・ページの下部でのブラウジングは、ウェブ・ページの上部に戻り、検索バーを探し出して検索操作を実行する必要がある。ウェブ・ページの下部に設定される検索バーにも、同様の問題がある。検索バーで構成されるウェブ・ページの上部及び下部の両方は、より多くのシステム・リソースを必要とする。加えて、埋め込まれた検索バーに関して、ウェブ・ページをズームインするときに、検索バーは、それに応じて縮小する。結果として、検索バーを探し出すために時間を浪費する。
【０００６】
フローティング検索バーは、ウェブ・ページ上で浮き、ウェブ・ページを切り換える場合に移動する代わりに、画面上の固定位置で常に示される。携帯端末の可搬性は、相対的に小さいサイズを有する携帯端末の画面を制限する。フローティング検索バーが画面上で大きな空間を占めるときに、他の情報をブラウジングするユーザの空間を削減する。フローティング検索バーが小さい場合に、ユーザは、一目で検索バーを探し出すことが不可能である。その間に、フローティング検索バーは、より多くのシステム・リソースをまた消費し、ユーザ・エクスペリエンスに影響を及ぼす可能性がある。
【０００７】
結果として、従来の検索インタフェースは、携帯端末で適切に構成されず、検索インタフェースを探し出すユーザの時間を浪費して情報検索効率を低下させるだけでなく、  かなり多くのシステム・リソースを消費する。
【発明の概要】
【０００８】
この発明の概要は、発明を実施するための形態で以下にさらに説明される簡略化された形態で概念の選択を紹介するために提供される。この発明の概要は、特許請求された主題のすべての重要な特徴または本質的な特徴を特定することを意図されず、または特許請求された主題の範囲を判定する際の支援として単独で使用されることも意図されない。たとえば、用語「技術（複数を含む）または技術的解決策（複数を含む）」は、上記の及び本開示全体を通して文脈により許容されるような、装置（複数を含む）、システム（複数を含む）、方法（複数を含む）及び／またはコンピュータ可読命令を示すことができる。
【０００９】
本開示は、検索効率を高める情報検索方法を提供する。
【００１０】
上記の技術的な問題を解決するために、本開示は、以下の操作、
１本の指は、１つのパスに対応する、画面上での複数の指のような２つ以上のオブジェクトをスライドさせることで生成された複数のパスを携帯端末の画面上で取得すること、
複数のパスに一貫性があるかどうかを判定すること、
判定結果がはいである場合に、検索インタフェース呼び出し信号を生成すること、
検索インタフェース呼び出し信号に基づき検索インタフェースを表示すること、
を備えることができる、方法を提供する例示的な情報を提供する。
【００１１】
任意選択で、複数のパスに一貫性があるかどうかを判定することは、以下の操作、
複数のパスの方向に一貫性があるかどうかを判定すること、及び、複数のパスの方向に一貫性がある場合に、複数のパスは、一貫性があると判定されること、
を備えることができる。
【００１２】
任意選択で、複数のパスに一貫性があるかどうかを判定することは、以下の操作、
複数のパスの開始時点の平均二乗偏差が第一閾値より小さいかどうかを判定すること、及び、複数の開始時点の平均二乗偏差が第一閾値より小さい場合に、複数のパスは、一貫性があると判定されること、
を備えることができる。
【００１３】
任意選択で、複数のパスに一貫性があるかどうかを判定することは、以下の操作、
複数のパスの終了時点の平均二乗偏差が第二閾値より小さいかどうかを判定すること、及び、複数の終了時点の平均二乗偏差が第二閾値より小さい場合に、複数のパスは、一貫性があると判定されること、
を備えることができる。
【００１４】
任意選択で、複数のパスに一貫性があるかどうかを判定することは、以下の操作、
複数のパスの形状が類似するかどうかを判定すること、及び、複数のパスの形状が類似する場合に、複数のパスは、一貫性があると判定されること、
を備えることができる。
【００１５】
さらに本開示は、携帯端末に適用可能な情報検索デバイスを提供する。このデバイスは、以下の部、
１本の指が１つのパスに対応する、画面上での複数の指のような２つ以上のオブジェクトをスライドさせることで生成された複数のパスを携帯端末の画面上で取得する取得部、
複数のパスに一貫性があるかどうかを判定する判定部、
複数のパスに一貫性がある場合に検索インタフェース呼び出し信号を生成する処理部、及び
検索インタフェース呼び出し信号に基づき検索インタフェースを表示する表示部、
を含むことができる。
【００１６】
任意選択で、判定部は、複数のパスの方向に一貫性があるかどうかを判定し、複数のパスの方向に一貫性がある場合に、複数のパスに一貫性があることを判定する方向判定サブユニットを含むことができる。
【００１７】
任意選択で、判定部は、複数のパスの開始時点の平均二乗偏差が第一閾値より小さいかどうかを判定し、複数の開始時点の平均二乗偏差が第一閾値より小さい場合に、複数のパスに一貫性があることを判定する第一平均二乗偏差判定サブユニットを有することができる。
【００１８】
任意選択で、判定部は、複数のパスの終了時点の平均二乗偏差が第二閾値より小さいかどうかを判定し、複数の終了時点の平均二乗偏差が第二閾値より小さい場合に、複数のパスに一貫性があることを判定する第二平均二乗偏差判定サブユニットを含むことができる。
【００１９】
任意選択で、判定部は、複数のパスの形状が類似するかどうかを判定し、複数のパスの形状が類似する場合に、複数のパスに一貫性があることを判定する、形状判定サブユニットを含むことができる。
【００２０】
さらに本開示は電子デバイスを提供する。この電子デバイスは、
タッチ・スクリーン、
１つ以上のプロセッサ、及び
１つのグローバル・インタフェース呼び出しプログラム及び少なくとも１つのアプリケーションを格納し、プロセッサがアプリケーションを実行するときに、タッチ・スクリーンが１つのアプリケーション・メイン・インタフェース及びいくつかのアプリケーション操作インタフェースを少なくとも表示し、プロセッサがグローバル・インタフェース呼び出しプログラムを実行するときに、１つのアプリケーション・メイン・インタフェース及びいくつかのアプリケーション操作インタフェースのうちのいずれか１つがタッチ・スクリーン沿いに指のような少なくとも２つのオブジェクトをスライドさせ、一貫性があるパスを生成することで実行された入力操作を監視し、１つのアプリケーション・メイン・インタフェースまたはいくつかのアプリケーション操作インタフェースが、１つのアプリケーション・メイン・インタフェースまたはいくつかのアプリケーション操作インタフェース上にスタックされる検索インタフェースを示し、ユーザにより検索語を入力するための検索インタフェースを提示する１つ以上のメモリ、
を含むことができる。
【００２１】
本開示の実施形態で提供された情報検索方法は、携帯端末の画面上での複数の指のような２つ以上のオブジェクトをスライドさせることで生成されたパスにグローバル・スコープで一貫性があるかどうかを判定することで検索インタフェースを呼び出し、ユーザが検索インタフェースを介して情報を検索することを可能にし、便利で速く、時間を節約し、検索効率を高め、ユーザのためにより良いユーザ・エクスペリエンスを提案する。加えて、本開示の実施形態で提供された情報検索方法は、ページ上に独立した検索インタフェースを設定することなく、ジェスチャを使用することでＡｐｐの任意のページに検索インタフェースを提示することにより、システム・リソースを節約する。
【００２２】
添付の図面は、本開示のさらなる理解を提示し、本開示の部分を構成することを意図される。本開示の例示的な実施形態、及びそれらの対応する説明は、本開示を限定するのではなく、本発明を説明するために使用される。
【図面の簡単な説明】
【００２３】
【図１】本開示による例示的な情報検索方法のフローチャートである。
【図２】本開示による例示的な情報検索デバイスの概略的な構造図である。
【図３】本開示による例示的な情報検索シナリオの概略図である。
【発明を実施するための形態】
【００２４】
本開示の技術的な問題、技術的な解決策、及び技術的な利点を説明するために、本開示は、添付の図面、及び例示的な実施形態を参照して詳細に以下で説明される。本明細書で記述された例示的な実施形態が本開示を限定するのではなく、本開示を説明するために単に使用されることを理解するものとする。
【００２５】
本開示は、携帯端末に適用可能な情報検索方法及び情報検索デバイスを提供し、時間を節約し、情報検索効率を高める。
【００２６】
図１は、本開示の例示的な実施形態による例示的な情報検索方法のフローチャートである。図１で示されるように、この方法は、以下を備える。
【００２７】
１０２で、携帯端末の画面上の複数のパスは、画面上での複数の指のような２つ以上のオブジェクトの１回以上のスライドを監視することに基づき取得される。１本の指は、１つのパスに対応することができる。たとえば、画面は、タッチ・スクリーンである。
【００２８】
１０４で、複数のパスに一貫性があるかどうかを判定する。
【００２９】
１０６で、複数のパスに一貫性があることを判定することに応答して、検索インタフェース呼び出し信号を生成する。
【００３０】
１０８で、検索インタフェース呼び出し信号により検索インタフェースを表示する。
【００３１】
本開示の例示的な実施形態において、また検索インタフェースは、検索バーと言われることができる。
【００３２】
本開示の実施形態で提供された情報検索方法は、携帯端末の画面上での複数の指のような２つ以上のオブジェクトをスライドさせることで生成されたパスに一貫性がある、またはこれらのパスがグローバル・スコープ（すなわち、ユーザ・インタラクションを常時監視する）にないかどうかを判定することで検索インタフェースを表示し、ユーザが検索インタフェースを介して情報を検索することを可能にし、便利で速く、検索効率を高め、ユーザのためにより良いユーザ・エクスペリエンスを提案する。加えて、本開示の例示的な実施形態で提供された情報検索方法は、ページ上で独立した検索インタフェースを設定することなく、ジェスチャを使用することでＡｐｐの任意のページに検索インタフェースを提示することにより、システム・リソースを制約する。
【００３３】
本開示の例示的な実施形態において、１０４で、複数のパスに一貫性があるかどうかを判定する複数の方法がある。
【００３４】
たとえば、１０４で、複数のパスに一貫性があるかどうかを判定することは、複数のパスの方向に一貫性があるかどうかを判定すること、及び、複数のパスの方向に一貫性がある場合に、複数のパスに一貫性があることを判定することを備えることができる。
【００３５】
別の実施例について、１０４で、複数のパスに一貫性があるかどうかを判定することは、複数のパスの開始時点の平均二乗偏差が第一閾値より小さいかどうかを判定すること、及び、複数の開始時点の平均二乗偏差が第一閾値より小さい場合に、複数のパスに一貫性があることを判定することを備えることができる。
【００３６】
別の実施例について、１０４で、複数のパスに一貫性があるかどうかを判定することは、複数のパスの終了時点の平均二乗偏差が第二閾値より小さいかどうかを判定し、複数の終了時点の平均二乗偏差が第二閾値より小さい場合に、複数のパスに一貫性があることを判定することを備えることができる。
【００３７】
理想的には、複数の指のような２つ以上のオブジェクトを使用することで画面上で実行された操作は、同期する、すなわち、複数の指のような複数のオブジェクトのスライド動作は、同期する。つまり、複数の指のような複数のオブジェクトの開始時点は、同じであり、複数の指のような複数のオブジェクトの終了時点は、同じである。しかしながら、実際の応用において、複数の指のような複数のオブジェクトのスライド動作は、完全に同期しないため、複数のパス開始時点は、それらの間に差がある可能性があり、同様に、２つのパスの終了時点は、それらのどちらかの間に差がある可能性がある。
【００３８】
第一閾値は、エクスペリエンスに基づき設定される。画面上での複数の指のような複数のオブジェクトのスライド動作が同期するかどうかは、複数のパスの開始時点の平均二乗偏差を使用することで判定されるため、判定を実行するときに間違いを回避する。複数のパスの差の平均二乗偏差が第一閾値より小さいときに、複数のパスに対応する複数の指のような複数のオブジェクトにより実行された操作は、同期する。同様に、第二閾値は、エクスペリエンスに基づき設定される。
【００３９】
別の実施例について、１０４で、複数のパスに一貫性があるかどうかを判定することは、複数のパスの形状が類似するかどうかを判定すること、及び、複数のパスの形状が類似する場合に、複数のパスに一貫性があることを判定することを備えることができる。
【００４０】
理想的には、複数のパスに対応する複数の指のような複数のオブジェクトを使用することで実行された操作が同期する場合に、複数のパスの形状は、同じである。しかしながら、実際の応用では、ユーザは、一般的に人差し指及び中指を使用して操作を実行する、または人差し指、中指、及び薬指を使用して操作を実行する。複数の指のような異なるオブジェクトの異なる長さ、及び手首を返す範囲の制限などのために、複数のパスの形状は、完全に同じであることが不可能である。このように、例示的な実施形態において、複数のパスの形状が類似する場合に、複数のパスは、一貫性があると判定される。類似度閾値は、判定を実行するときに間違いの可能性を減らすために予め設定されることができる。複数のパスの形状間の類似度は、類似度より高い。
【００４１】
図２は、本開示の実施形態による情報検索デバイスの概略的な構造図である。図２で示されるように、デバイス２００は、携帯端末に適用されることができる。デバイス２００は、１つ以上のプロセッサ（複数を含む）２０２、またはデータ処理部（複数を含む）及びメモリ２０４を含むことができる。さらにデバイス２００は、タッチ・スクリーンのような画面を含むことができる、１つ以上の入力／出力装置２０６及びネットワーク・インタフェース２０８を含むことができる。メモリ２０４は、コンピュータ可読媒体の実施例である。
【００４２】
コンピュータ可読媒体は、情報ストレージを実装する任意の方法または技術を使用することができる永続的な、及び非永続的な、可動な、及び非可動な媒体を含む。情報は、コンピュータ可読命令、データ構造、ソフトウェア・モジュール、または任意のデータであってもよい。コンピュータ・ストレージ・メディアの実施例は、限定されないが、相変化メモリ（ＰＣＭ）、スタティック・ランダム・アクセス・メモリ（ＳＲＡＭ）、ダイナミック・ランダム・アクセス・メモリ（ＤＲＡＭ）、他のタイプのＲＡＭ、ＲＯＭ、電気的に消去可能なプラグラマブル読み出し専用メモリ（ＥＥＰＲＯＭ）、フラッシュ・メモリ、内部メモリ、ＣＤ-ＲＯＭ、ＤＶＤ、光学メモリ、磁気テープ、磁気ディスク、任意の他の磁気ストレージ・デバイス、またはコンピューティング・デバイスによりアクセス可能な情報を格納することができる任意の他の非通信媒体を含むことができる。本明細書で定められるように、コンピュータ可読媒体は、変調されたデータ信号、及び搬送波のような一時的な媒体を含まない。
【００４３】
メモリ２０４はそれらの中に、
画面で複数の指のような２つ以上のオブジェクトの１回以上のスライドを監視することに基づき携帯端末の画面上に複数のパスを取得し、１本の指が１つのパスに対応する取得部２１０、
複数のパスに一貫性があるかどうかを判定する判定部２１２、
複数のパスに一貫性がある場合に検索インタフェース呼び出し信号を生成する処理部２１４、及び
検索インタフェース呼び出し信号により検索インタフェースを表示する表示部２１６、
を含む、複数のモジュールまたは部を格納することができる。
【００４４】
たとえば、判定部２１２は、複数のパスの方向に一貫性があるかどうかを判定すること、及び、複数のパスの方向に一貫性がある場合に、複数のパスに一貫性があることを判定する方向判定サブユニットを含むことができる。
【００４５】
別の実施例について、判定部２１２は、複数のパスの開始時点の平均二乗偏差が第一閾値より小さいかどうかを判定すること、及び、複数の開始時点の平均二乗偏差が第一閾値より小さい場合に、複数のパスに一貫性があることを判定する第一平均二乗偏差判定サブユニットを含むことができる。
【００４６】
別の実施例について、判定部２１２は、複数のパスの終了時点の平均二乗偏差が第二閾値より小さいかどうかを判定し、複数の終了時点の平均二乗偏差が第二閾値より小さい場合に、複数のパスに一貫性があることを判定する第二平均二乗偏差判定サブユニットを含むことができる。
【００４７】
別の実施例について、判定部２１２は、複数のパスの形状が類似するかどうかを判定し、複数のパスの形状が類似する場合に、複数のパスに一貫性があることを判定する形状判定サブユニットを含むことができる。
【００４８】
上記の機能部は、ソフトウェア、ハードウェア、またはソフトウェア及びハードウェアの組み合わせとして実装されることができる。
【００４９】
本開示の例示的な実施形態において、情報検索デバイスは、ジェスチャを使用することでグローバル・スコープに検索インタフェースを直接表示し、時間を節約し、検索効率を高める。
【００５０】
図３は、本開示の例示的な実施形態による例示的な情報検索シナリオの概略図である。図３で示されるようなアプリケーション・シナリオにおいて、画面上での複数の指のような２つのオブジェクトをスライドさせることで、検索バー３０２を表示する。図３で示されるように、３０４は、携帯端末であり、たとえば、この例示的な実施形態において携帯電話であってもよい。Ａｐｐの任意のページで、画面上での複数の指のような２つのオブジェクトをスライドさせること、たとえば、図３（ａ）で示されるように上部から下部にスライドさせること、または図３（ｂ）で示されるように下部から上部にスライドさせることで、図３（ｃ）で示されるような検索バー３０２は、画面上に直接示される。
【００５１】
この実施形態において、グローバル・スコープで、ユーザは、ジェスチャを行うことで検索インタフェースを直接表示することにより、時間を節約し、検索効率を高める。
【００５２】
さらに本開示は、電子デバイスを提供する。電子デバイスは、
タッチ・スクリーン、
１つ以上のプロセッサ、及び
１つのグローバル・インタフェース呼び出しプログラム及び少なくとも１つのアプリケーションを格納し、プロセッサがこのアプリケーションを実行するときに、タッチ・スクリーンが１つのアプリケーション・メイン・インタフェース及びいくつかのアプリケーション操作インタフェースを少なくとも表示し、プロセッサがグローバル・インタフェース呼び出しプログラムを実行するときに、１つのアプリケーション・メイン・インタフェース及びいくつかのアプリケーション操作インタフェースのうちのいずれか１つが、一貫性があるパスを生成するタッチ・スクリーン沿いに複数の指のような少なくとも２つのオブジェクトをスライドさせることで実行された入力操作を監視する場合に、１つのアプリケーション・メイン・インタフェースまたはいくつかのアプリケーション操作インタフェース上にスタックされる検索インタフェースのようなユーザ・インタフェースを提示することを備えるアクションを実行するためにプロセッサにより実行可能なコンピュータ実行可能な命令をそれらの上に格納している１つ以上のメモリ、を含むことができる。ユーザにより検索語を入力するために検索インタフェースを提示する。
【００５３】
本開示の実施形態に提供された情報検索方法は、携帯端末の画面上に複数の指のような２つ以上のオブジェクトをスライドさせることで生成されたパスにグローバル・スコープで一貫性があるかどうかを判定することで検索インタフェースを呼び出し、ユーザが検索インタフェースを介して情報を検索することを可能にし、便利で速く、時間を節約し、検索効率を高め、ユーザのためにより良いユーザ・エクスペリエンスを提案する。加えて、本開示の実施形態に提供された情報検索方法は、ページ上に独立した検索インタフェースを設定することなく、ジェスチャを使用することでＡｐｐの任意のページに検索インタフェースを提示することにより、システム・リソースを節約する。
【００５４】
上記の詳細な説明は、本開示の例示的な実施形態を図示する。しかしながら、上記のように、本開示が本明細書で開示された形態に限定されず、他の実施形態を排除するとみなされないことを理解するであろう。代替的に、本開示は、他のさまざまな組み合わせ、修正形態及び事態に適用可能である。加えて、本開示は、本開示で適用された思想の範囲内で関連技術の上記の教示または技術または知識の指導下で修正されることができる。さらに、本開示の趣旨及び範囲から逸脱することなく当業者により行われた任意の修正及び変更は、本開示に添付された保護範囲内に入るものとする。
【図１】
0006710198.tif 000002
【図２】
0006710198.tif 000003
【図３】
0006710198.tif 000004